(57)【要約】      （修正有）【課題】ベース部と立上がり部とから成る基礎（基礎コンクリート）用の型枠として使用勝手の良好な、すなわち、ベース部が未硬化状態中に立上がり部の打設ができる型枠装置を提供する。【解決手段】基礎ベース部５ｂ上に支持手段によって支持させて相対設した型枠６，６間にモルタルを充填して基礎立上がり部５ａを形成するようにした装置であって、前記型枠６，６間の下方を、前記モルタルの骨材の前記基礎ベース部（未硬化状態の）への流入規制用の多孔手段で閉塞する。【選択図】図１
2004324191.tif 000002
【特許請求の範囲】
【請求項１】
基礎ベース部上に支持手段によって支持させて相対設した型枠間にモルタルを充填して基礎立上がり部を形成するようにした基礎型枠装置において、前記型枠間の下方を、前記モルタルの骨材の前記基礎ベース部への流入規制用の多孔手段で閉塞した、基礎型枠装置。
【発明の詳細な説明】
【０００１】
【産業上の利用分野】
本発明は、概し、木造建物の、ベース部と立上がり部とで成る基礎（基礎コンクリート）を造成するために用いる型枠装置に関するものである。
【０００２】
【従来の技術】
木造建物の、ベース部と立上がり部とで成る基礎を得るには、一般的に、ベース部に打設したモルタルが硬化後、該ベース部上に相対して立設した型枠間にモルタルを注入してこれを硬化させて立上がり部を得るようにする場合と、ベース部側の型枠上に立上がり部側の型枠を支持させ、これらの型枠間にモルタルを注入してベース部と立上がり部を同時に打設する場合とがある。（例えば、特許文献１）
【特許文献１】
特開平９−２８７２８８号（第２頁、第３頁および図１、図２）
【０００３】
【発明が解決しようとする課題】
前記従来例中、前者の場合は、立上がり部を構成させるために型枠内に注入するモルタル中の骨材が、硬化状態にあるベース部との境界面に位置して、該モルタルと、硬化状態の、ベース部側のモルタル（コンクリート）との接合強度に問題が生じる場合があり、また、後者の場合は、ベース部側の型枠間にモルタルが充填されてから、立上がり部側の型枠間にモルタルが充填され、ベース部側のモルタルが未硬化状態であるため、その重量殊にモルタル中の骨材がベース部側のモルタル内に流入して該モルタルを、いわば押圧し、ベース部側のモルタルが当該型枠からあふれたり、仕上げ精度上問題を起こす場合がある。本発明は、モルタル中の骨材により起り勝ちなこれらの欠点を除去して、使用勝手が良好な型枠装置を提供することを目的として創案したものである。
【０００４】
【課題を解決するための手段】
基礎ベース部上に支持手段によって支持させて相対設した型枠間にモルタルを充填して基礎立上がり部を形成するようにした基礎型枠装置において、前記型枠間の下方を、前記モルタルの骨材の前記基礎ベース部への流入規制用の多孔手段で閉塞した構成としたものである。
【０００５】
【発明の実施の形態】
図は本発明に係る基礎型枠装置の一実施形態を示し、図１は縦断面図、図２は装置の平面図、図３は支持金具の分解斜視図である。
【０００６】
図示の型枠装置は、所謂べた基礎の型枠装置に本発明を適用したものであるが、布基礎や或いは独立基礎の造成にも本発明を適用できることはいうまでもない。
【０００７】
実施形態の場合は、わりぐり（図示省略）上に敷設したすてコンクリート１上に図示省略したベース型枠で取り囲んだ空間域を設け、該空間域の所定個所に支持金具２，…や図示省略した他の支持金具を前期すてコンクリート１に並べて配設し、前記支持金具２等にべた基礎の立上がり部５ａ形成用の型枠６，６を立設、支持させ、かつ、型枠６，６間の下部に金網７を敷設するようにしてべた基礎型枠装置としたものである。
【０００８】
前記支持金具２は、基板８ａに立上がり枠８ｂを門構え状に立設して構成した基枠８と、受支板９ａの下面両側に組付け板９ｂを吊下し、上面両側にそれぞれ一対の挟持片９ｃ，９ｃ、９ｃ，９ｃを立設して構成した受支枠９とで成り、基枠８の立上がり枠８ｂの側部片８ｂ´の外側に受支枠９の組付け板９ｂを、また、基枠８の立上がり枠８ｂの上部片８ｂ´上側に受支枠９の受支板９ａをそれぞれ重ね合わせるようにして、前記側部片８ｂ´と組付け板９ｂのそれぞれに設けた縦長長孔１０，１０´に貫通させたボルト１１の先端にナット１２を螺合してこれら基枠８と受支枠９を互いに組付けて構成したものである。
【０００９】
そして、支持金具２は、前記縦長長孔１０，１０´を互いに変位させ、変位させた状態でボルト１１とナット１２により基枠８側の側部片８ｂ´と受支枠９側の組付け板９ｂを締付けることにより受支枠９（の受支板９ａ）の高さ位置を調整できるようにしてあり、この高さ調節装置を利用して受支枠９の受支板９ａの高さを調整して、適宜数並べて前記の通り、すてコンクリート１上に立設して配置し、この支持金具２の受支枠９の受支板９ａ上には、該受支板９の両側にそれぞれ立設した一対の前記挟持片９ｃ，９ｃ間に挟入するようにして前記型枠６，６を載置してすてコンクリート１上に並設した複数個の支持金具２で該型枠６を受支させてある。
【００１０】
なお、型枠６は、前記挟持片９ｃ，９ｃ間に下端を挟入すると共に、上部側を図示省略した支持手段によって支持されて、モルタルの注入圧による傾倒に対応して、当該立設状態を維持するようにしてある。
【００１１】
すてコンクリート１上に支持金具２，…を利用して相対して立設した型枠６，６間には、支持金具２の前記受支枠９の受支板９ａに載置するようにして前記金網７を敷設して型枠６，６間の間隙ａを閉塞し、金網７は、前記受支板９ａと基枠立上がり枠８ｂの上部片８ｂ´´に設けた長孔１３，１３´の一方又は双方に、該金網７を通じた止め付けボルト１４を貫通させてボルト先端にナット１５を螺合させて支持金具２，…に止着したものである。
【００１２】
なお、金網７はべた基礎を構成するモルタル中の径の異なる骨材の全部若しくは一部の径より小さな径の網目を備えていればよく、いずれの径の骨材を通さない網目である必要はない。すなわち、金網７の網目は、型枠６，６間にべた基礎立上がり部５ｂ用として注入したモルタル中の骨材が、型枠６の下側で打設済のべた基礎ベース部のモルタル中にその重みで流入するのを防ぐためで（流入することによって基礎ベース部のモルタルが必要以上になり「あふれる」ことになる）、流入に影響がない程度の骨材（概し、小石）が通過できる程度の網目は差し支えがない。
【００１３】
従って、請求項でいう多孔手段は必ずしも金網である必要はなく、樹脂製の多孔板を用いても良く、単一な細杆を複数本並設して型枠６，６間の間隙ａを複数個に区画するようにしても良いのである。
【００１４】
また、実施形態において金網７を長孔１３，１３´、ボルト１４およびナット１５を用いて支持金具２，…に架設、止着するようにしてあるが、これは、べた基礎ベース部５ｂのモルタル打設時に該モルタルの圧力により金網７が移動して低位置の維持ができなくなることを防ぐためで、べた基礎ベース部５ｂのモルタル打設後に金網を型枠６，６間に敷設できる現場状況であればこの固定手段は省略しても差し支えない。
【００１５】
そして、前記べた基礎型枠装置を得た後（鉄筋３の設置も相前後して施工されること勿論）、べた基礎のベース部５ｂに対応するすてコンクリート１上の空間域の適所からモルタルを注入してベース部５ｂを打設後、該ベース部５ｂのモルタルが未硬化状態時に、型枠６，６間にモルタルを注入してべた基礎の立上がり部５ａを打設するのである。そして、型枠６，６間に注入された立上がり部５ａ用のモルタル中の、金網７でいわばふるいにかけた当該網目の径より大きな骨材は、既設の未硬化状態のべた基礎ベース部５ｂに流入することなく金網７上に残存するのである。
【００１６】
【発明の効果】
本発明は前記のとおりの構成であるから、べた基礎、布基礎などのベース部のモルタルが未硬化状態中に型枠間に立上がり部を打設するためのモルタル注入を行っても、既設のベース部を骨材で破壊することなく行え、また、ベース部側のモルタルが未硬化状態中に当該ベース部の打設を不都合なく行えることができるから、ベース部側と立上がり部側のモルタルが互いに付着して堅牢な基礎を得ることができる。
【図面の簡単な説明】
【図１】縦断面図。
【図２】装置の平面図。
【図３】支持金具の分解斜視図。
【符号の説明】
５ａ    基礎立上がり部
５ｂ    基礎ベース部
６      型枠
７      金網
【図１】
2004324191.tif 000003
【図２】
2004324191.tif 000004
【図３】
2004324191.tif 000005